(57)【要約】【課題】間仕切り装置の上下左右のフレームに設けた凹溝に、ガラスパネル及びその保持部材を、簡単な手段で容易に、かつ見栄えよく取付けうるようにする。【解決手段】パネル保持部材１８、１９が、横フレーム１０の凹溝１３、１５に嵌合され、前部の縁部に、ガラスパネル１２における周縁部の前面に当接する長手方向を向く保持片２０b、２７aを有し、かつ後部の縁部に、内向きに開口する長手方向を向く差込み溝２３、２８が設けられた保持部本体２０、２７と、ガラスパネル１２の後面に当接する長手方向を向く保持部２１aを有するとともに、差込み溝２３、２８に嵌合された弾性変形可能な前後１対の係合足片２１bを有する差込み部材２１とからなり、保持部本体２０、２７の保持片２０b、２７aと差込み部材２１の保持部２１aとの対向面により、ガラスパネル１２の周縁部の前後両面を挟んで保持する。【選択図】  図４
2008280712.tif 000002
【特許請求の範囲】
【請求項１】
上下の横フレームの対向面に設けた左右方向を向く凹溝と、左右の縦フレームの対向面に設けた上下方向を向く凹溝とに、ガラスパネルの周縁部を、パネル保持部材を介して取付けてなる間仕切り装置におけるガラスパネルの取付構造において、
前記パネル保持部材が、前記各横フレーム及び縦フレームの凹溝に嵌合され、前後いずれか一方の縁部に、前記ガラスパネルにおける周縁部の前後いずれか一方の面に当接する長手方向を向く保持片を有し、かつ前後いずれか他方の縁部に、内向きに開口する長手方向を向く差込み溝が設けられた保持部本体と、前記ガラスパネルの他方の面に当接する長手方向を向く保持部を有するとともに、前記差込み溝に嵌合された弾性変形可能な前後１対の係合足片を有する差込み部材とからなり、前記保持部本体の保持片と差込み部材の保持部との対向面により、前記ガラスパネルの周縁部の前後両面を、挟んで保持したことを特徴とする間仕切り装置におけるガラスパネルの取付構造。
【請求項２】
保持部本体と差込み部材とを、硬質合成樹脂により形成し、かつそれらの保持片と保持部におけるガラスパネルとの当接面に、弾性を有する軟質合成樹脂よりなるパネル押さえを、一体的に設けてなる請求項１記載の間仕切り装置におけるガラスパネルの取付構造。
【請求項３】
差込み部材の保持部を、差込み溝との対向面に長手方向を向くスリット孔を有する中空状とし、前記スリット孔の開口縁部に、前後１対の係合足片を連設してなる請求項１または２記載の間仕切り装置におけるガラスパネルの取付構造。
【請求項４】
差込み溝内の対向面に係合部を、かつ差込み部材における両係合足片の外側面に、前記係合部に係合される被係合部を設けてなる請求項１〜３のいずれかに記載の間仕切り装置におけるガラスパネルの取付構造。
【請求項５】
係合部及び被係合部を、互いに補形をなす鋸歯状断面のものとしてなる請求項４記載の間仕切り装置におけるガラスパネルの取付構造。
【発明の詳細な説明】
【技術分野】
【０００１】
本発明は、オフィス等の室内を仕切る間仕切り装置に係わり、特に、それに使用されるガラスパネルの取付構造に関する。
【背景技術】
【０００２】
従来のガラスパネルの取付構造としては、例えば特許文献１及び２に記載されているように、間仕切り装置の横桟または壁体に予め形成された凹溝に、ガスケットを介してガラスパネルの端部を嵌め込んで取付けたものや、特許文献３に記載されているように、ガラスパネルの端部両面を、別体とされた２個の保持部材により挟持し、かつ一方の保持部材を固定部材にねじ止めして取付けたものなどがある。
【特許文献１】特開２００３−１０５９０８号公報
【特許文献２】特開２００６−１６１４１７号公報
【特許文献３】特開２００７−１６５２７号公報
【発明の開示】
【発明が解決しようとする課題】
【０００３】
上記特許文献１及び２に記載されているガラスパネルの取付構造においては、凹溝に嵌合したガラスパネルの端部両面を、凹溝に直接嵌め込まれた、弾性変形可能なガスケットにより保持しているので、凹溝に、ガスケットを強く押し込む必要があり、手間がかかる。
また、凹溝等に寸法誤差が生じていると、ガスケットの一部が凹溝よりはみ出したり、隙間が発生したりして、見栄えが損なわれる恐れがあり、かつ場合によっては、仕上げや補修作業も必要となる。
【０００４】
特許文献３に記載のものにおいては、保持部材の一方を、固定部材にねじ止めしているので、その作業が面倒であり、かつ部品点数や取付工数が多くなって、コスト高となる。
【０００５】
本発明は、上記問題点に鑑みてなされたもので、間仕切り装置の上下左右のフレームに設けた凹溝に、ガラスパネル及びその保持部材を、簡単な手段で、容易に、かつ見栄えよく取付けうるようにした、間仕切パネル装置におけるガラスパネルの取付構造を提供することを目的としている。
【課題を解決するための手段】
【０００６】
本発明によると、上記課題は、次のようにして解決される。
（１）上下の横フレームの対向面に設けた左右方向を向く凹溝と、左右の縦フレームの対向面に設けた上下方向を向く凹溝とに、ガラスパネルの周縁部を、パネル保持部材を介して取付けてなる間仕切り装置におけるガラスパネルの取付構造において、前記パネル保持部材が、前記各横フレーム及び縦フレームの凹溝に嵌合され、前後いずれか一方の縁部に、前記ガラスパネルにおける周縁部の前後いずれか一方の面に当接する長手方向を向く保持片を有し、かつ前後いずれか他方の縁部に、内向きに開口する長手方向を向く差込み溝が設けられた保持部本体と、前記ガラスパネルの他方の面に当接する長手方向を向く保持部を有するとともに、前記差込み溝に嵌合された弾性変形可能な前後１対の係合足片を有する差込み部材とからなり、前記保持部本体の保持片と差込み部材の保持部との対向面により、前記ガラスパネルの周縁部の前後両面を、挟んで保持する。
【０００７】
（２）上記(１)項において、保持部本体と差込み部材とを、硬質合成樹脂により形成し、かつそれらの保持片と保持部におけるガラスパネルとの当接面に、弾性を有する軟質合成樹脂よりなるパネル押さえを、一体的に設ける。
【０００８】
（３）上記(１)または(２)項において、差込み部材の保持部を、差込み溝との対向面に長手方向を向くスリット孔を有する中空状とし、前記スリット孔の開口縁部に、前後１対の係合足片を連設する。
【０００９】
（４）上記(１)〜(３)項のいずれかにおいて、差込み溝内の対向面に係合部を、かつ差込み部材における両係合足片の外側面に、前記係合部に係合される被係合部を設ける。
【００１０】
(５）上記(４)項において、係合部及び被係合部を、互いに補形をなす鋸歯状断面のものとする。
【発明の効果】
【００１１】
請求項１記載の発明によれば、パネル保持部材を、横フレームと縦フレームの凹溝に嵌合された保持部本体と、その差込み溝に嵌合して取り付けられる差込み部材との２部材よりなるものとし、それらの保持片と保持部とにより、ガラスパネルの周縁部の前後両面を挟持して保持するようにしているので、ガラスパネルを、横フレームと縦フレームの凹溝に極めて容易に取付けることができる。
また、保持部本体の保持片と差込み部材の保持部との対向面により、ガラスパネルの前後両面を保持しているので、パネル保持部材によるガラスパネルの保持部をフラットな面とすることが可能となり、間仕切り装置の見栄えが向上する。
【００１２】
請求項２記載の発明によれば、保持部本体と差込み部材を軽量化しつつ、ガラスパネルの保持強度大としうるとともに、軟質のパネル押さえがガラスパネルの前後両面に当接して、前後方向の荷重に対し緩衝作用を有するようになるので、ガラスパネルが破損する恐れが小さくなる。
【００１３】
請求項３記載の発明によれば、両係合足片が前後方向に弾性変形し易くなるので、差込み溝に容易に嵌合させることができる。
【００１４】
請求項４記載の発明によれば、ねじ等の固定手段を使用することなく、差込み部材の両係合足片が、差込み溝より離脱するのを防止することができる。
【００１５】
請求項５記載の発明によれば、係合部と被係合部との係合領域が大きくなるので、差込み部材が差込み溝より、離脱しにくくなり、かつ差込み部材の差込み量を調整して、保持部本体との位置合わせを行うことができる。
【発明を実施するための最良の形態】
【００１６】
以下、本発明の実施形態を、図面に基づいて説明する。
図１は、本発明の一実施形態を適用した間仕切り装置の正面図、図２は、図１のII-II線拡大縦断側面図、図３は、同じくIII-III線拡大横断平面図である。
【００１７】
間仕切り装置１は、床面２に固定された側面視上向きコ字状断面をなす左右方向に長い下部ベース部材３と、天井４に固定された、下部ベース部材３と同じ左右寸法の側面視下向きコ字状断面をなす上部ベース部材５と、それらの両側端と中間部の対向面に上下両端が固着された３本の支柱６とを備えている。
【００１８】
図３に示すように、各支柱６の左右両側部には、縦フレーム７、７が、支柱６をほぼ囲むようにして固着されている。
また、図２に示すように、互いに隣接する縦フレーム７、７における上下両端と中間部の対向面には、それぞれ、前後寸法が縦フレーム７と等しい上部横フレーム８と下部横フレーム９、及び複数(３本)の中間横フレーム１０が固着されている。
【００１９】
互いに隣接する縦フレーム７、７と、上下の各横フレーム８、９、１０とにより囲まれた上下複数段の横長の枠状空間１１内には、ガラスパネル１２が嵌め込まれている(詳細は後述する)。
【００２０】
図２に示すように、上部横フレーム８は、下面中央に、下方及び両側方に開口する凹溝１３を有する側面視概ね上向きコ字状断面をなし、上部ベース部材５の内部に設けたアジャスタ装置１４に取付けて吊支することにより、上部ベース部材５に上下位置調節可能に外嵌されている。
【００２１】
下部横フレーム９は、上面中央に、上方及び両側方に開口する凹溝１５を有する側面視ほぼ下向きコ字状断面をなし、下部ベース部材３の内部に設けたアジャスタ装置１６に取付けて支持することより、下部ベース部材３に上下位置調節可能に外嵌されている。凹溝１５の溝幅は、上記凹溝１３のそれと等しく、かつ深さは、凹溝１３よりも浅く形成されている。
【００２２】
中間横フレーム１０は、上面と下面の中央に、それぞれ、上記凹溝１５、１３と同形の凹溝１５、１３を有するほぼ角筒状断面をなしている。
【００２３】
図３に示すように、各縦フレーム７における互いに対向する側面中央にも、内方及び上下両方向に開口する、上記各凹溝１３，１５の溝幅と等しい凹溝１７が形成されている。従って、ガラスパネル１２が嵌め込まれている個々の矩形枠内において、左右の縦フレーム７の対向面の凹溝１７と、各横フレーム８、９、１０の対向面の凹溝１３、１５とは、方形をなすように互いに連続している。
【００２４】
各ガラスパネル１２の上下の端部は、互いに隣接する上部横フレーム８と中間横フレーム１０との対向面、中間横フレーム１０、１０同士の対向面、及び下部横フレーム９と中間横フレーム１０との対向面に、次のようにして保持されている。なお、ガラスパネル１２の上部と下部の保持形態は、全てのガラスパネル１２において共通であるため、中間横フレーム１０により、下位のガラスパネル１２の上部と、上位のガラスパネル１２の下部を保持する例について説明する。
【００２５】
図４は、図２のＡ部の拡大図を示すもので、中間横フレーム１０の上下の凹溝１５、１３には、それぞれ、上位のガラスパネル１２の下端部を保持するパネル下部保持部材１８と、下位のガラスパネル１２の上端部を保持するパネル上部保持部材１９とが、左右方向に全長に亘って嵌合されている。
【００２６】
パネル下部保持部材１８は、凹溝１５に圧嵌された、その深さとほぼ等しい上下寸法の硬質合成樹脂よりなる保持部本体２０と、弾性変形可能な合成樹脂よりなる差込み部材２１とからなり、保持部本体２０は、凹溝１５の底面に当接する前後方向(図４の右方が前)を向く基片２０aと、その前端より内向きに起立する保持片２０bと、保持片２０bの上端より、凹溝１５の中央(後方)に向かって直角に延出する後向片２０cとを備え、断面形状は、概ね側面視逆Ｌ字状をなしている。
【００２７】
後向片２０cの先端(後端)には、保持部本体２０よりも軟質で、かつ若干弾性を有する合成樹脂材(エラストマーを含む)よりなるパネル押さえ２２が、保持部本体２０と一体成形もしくは接着等により固着されている。なお、このパネル押さえ２２は、前後２つの部材を、下端部の薄肉部２２a(図５参照)により接続したものよりなり、薄肉部２２aにおいて先端側を切除することにより、板厚の大きいガラスパネル１２を使用する際にも対応しうるようになっている。
【００２８】
図５に拡大して示すように、基片２０aの後端部には、差込み部材２１が係合可能な、上方に向かって漸次拡開する凹状断面の差込み溝２３が、左右方向に全長に亘って形成され、その内部の対向面には、鋸歯状断面の係合部２４、２４が形成されている。
【００２９】
差込み部材２１は、下面のやや後方寄りに、左右方向を向くスリット孔２５を設けた中空角筒状断面の保持部２１aと、スリット孔２５の前後の開口部より垂下する、上記差込み溝２３の深さよりも若干短寸の前後１対の係合足片２１b、２１bとを備え、両係合足片２１bの外側面には、上記差込み溝２３の両係合部２４、２４に係合可能な、それと補形をなす鋸歯状断面の被係合部２６、２６が形成されている。
保持部２１aの前面上部には、上記保持部本体２０側のパネル押さえ２２と同様のパネル押さえ２２が、差込み部材２１と一体成形もしくは接着等により固着されている。
【００３０】
なお、差込み部材２１におけるパネル押さえ２２を含む保持部２１aの左右寸法は、差込み部材２１を差込み溝２３に嵌合した際、保持部２１aの後面が凹溝１５の内面に当接するとともに、パネル押さえ２２の前面が、パネル下部保持部材１８に嵌合されたガラスパネル１２の後面に当接する寸法に設定されている。
【００３１】
図４に示すように、パネル上部保持部材１９は、凹溝１３に圧嵌された、その深さとほぼ等しい上下寸法の、概ね下向きコ字状断面をなす硬質合成樹脂製の保持部本体２７と、上記差込み部材２１と同形で上下対称をなすとともに、前面下部に上記と同様のパネル押さえ２２を有する差込み部材２１とからなっている。
【００３２】
保持部本体２７における前部より垂下する保持片２７aの下端には、左右方向を向く後向片２７bが連設され、この後向片２７bの後端には、上記と同様のパネル押さえ２２が固着されている。
保持部本体２７の後部の垂下片２７cの下端部には、下方に向かって漸次拡開する、差込み部材２１の係合足片２１bの上下寸法より若干深い上向き凹状の差込み溝２８が形成され、その内部の対向面には、上記と同様、差込み部材２１における両係合足片２１bの被係合部２６が係合される鋸歯状断面の係合部２４、２４が形成されている。
【００３３】
ガラスパネル１２の上下の端部を保持するには、上下寸法を上下に対向するパネル保持部材１８、１９における凹部内の対向寸法より短寸としたガラスパネル１２を傾斜させた姿勢で、その上端部を、まず上部横フレーム８及び中間横フレーム１０におけるパネル上部保持部材１９の内部に深く挿入し、ついでガラスパネル１２を垂直として下降させつつ、その下端部を、下部横フレーム９及び中間横フレーム１０のパネル下部保持部材１８内に落とし込むことにより、上下に対向するパネル保持部材１８、１９に嵌合して仮保持する。
【００３４】
ついで、図４に示すように、パネル下部保持部材１８の差込み溝２３と、パネル上部保持部材１９の差込み溝２８とに、差込み部材２１における両係合足片２１a、２１aを、互いに近接する方向に弾性変形させつつ押し込んで嵌合し、係合足片２１aの被係合部２６を、差込み溝２３、２８内の係合部２４に係合する。
【００３５】
これにより、上下の差込み部材２１は、保持部本体２０、２７の差込み溝２３、２８より抜け止めされるとともに、パネル押さえ２２の前面がガラスパネル１２の後面に圧接することにより、図２及び図４に示すように、上下の保持部本体２０、２７のパネル押さえ２２の後面にガラスパネル１２の前面が当接し、ガラスパネル１２の上下の端部は、互いに対向するパネル下部保持部材１８とパネル上部保持部材１９とにより、安定して保持される。
【００３６】
差込み部材２１の保持部２１aは、スリット孔２５を有する中空角筒状断面をなし、かつスリット孔２５の開口縁部に、弾性変形可能な前後１対の係合足片２１b、２１bが連設されているので、両係合足片２１bのそれぞれが前後方向に弾性変形し易くなり、差込み溝２３、２８に容易に嵌合することができる。
また、差込み溝２３、２８への係合足片２１bの差込み量を調整することにより、差込み部材２１の上面または下面と、保持部本体２０、２７及び各横フレーム８、９、１０とのレベル合わせを容易に行うことができる。
【００３７】
図３に示すように、ガラスパネル１２の左右の端部は、互いに隣接する縦フレーム７、７の対向面に形成された凹溝１７に嵌合されたパネル側部保持部材２９、２９により、次のようにして保持されている。
【００３８】
図６に拡大して示すように(左右対称につき一方のみ図示する)、パネル側部保持部材２９は、縦フレーム７の凹溝１７に圧嵌された硬質合成樹脂よりなる保持部本体３０と、その左右寸法よりも若干短寸とされた弾性変形可能な合成樹脂よりなる差込み部材３１とからなり、保持部本体３０は、凹溝１７に嵌合された平面視外向きコ字状断面の基部３０aと、その後部の嵌合片３０bの内側端より、左右方向内向きに延出する保持片３０cと、保持片３０cの内端に連設された前向片３０dとを備え、前向片３０dの前端面には、上記と同様のパネル押さえ２２が固着されている。
【００３９】
基部３０aにおける前部の嵌合片３０eには、内側方に向かって漸次拡開する差込み溝３２が、上下方向に向かって設けられ、その内部の対向面には、鋸歯状断面の係合部３３、３３が形成されている。
【００４０】
差込み部材３１は、左右方向を向くとともに、外側端にスリット孔３４を有する中空状の係合部３１aと、スリット孔３４の開口縁部より外側方に向かって延出する、左右寸法が上記差込み溝３２の深さよりも若干短寸の前後1対の係合足片３１b、３１bと、係合部３１aの内端に連設された後向片３１cとを備え、後向片３１cの後端面には、上記と同様のパネル押さえ２２が固着されている。  両係合足片３１bの外側面には、上記係合部３３に係合可能な鋸歯状断面の被係合部３５、３５が形成されている。
【００４１】
ガラスパネル１２を左右のパネル側部保持部材２９により保持するには、左右の縦フレーム７の対向面間の寸法よりも左右幅を若干短寸とされたガラスパネル１２を、その左右両端部の後面が、左右の保持部本体３０におけるパネル押さえ２２の前面に当接するまで、枠状空間１１に前方より挿入する。
【００４２】
ついで、図６に示すように、保持部本体３０の差込み溝３２に、差込み部材３１の両係合足片３１bを、差込み部材３１の内側面が保持部本体３０の内側面と整合する位置まで嵌合し、係合足片３１bの被係合部３５を、差込み溝３２内の係合部３３に係合する。
【００４３】
これにより、左右の差込み部材３１が、左右の保持部本体３０の差込み溝３２より抜け止めされるとともに、差込み部材３１のパネル押さえ２２の後面がガラスパネル１２の前面に圧接することにより、図３に示すように、ガラスパネル１２の左右の端部は、左右のパネル側部保持部材２９、２９により、安定して保持される。なお、この作業は、上述したガラスパネル１２の上下両端部の保持作業と同時に行われる。
【００４４】
左右の差込み部材３１の保持部３１aも、上記上下の差込み部材２１と同様、中空状をなし、かつスリット孔３４の開口縁部に、弾性変形可能な前後１対の係合足片３１b、３１bが連設されているので、これを弾性変形させて、差込み溝３２に容易に嵌合することができる。
また、差込み溝３２への係合足片３１bの差込み量も調整しうるので、保持部本体３０と差込み部材３１との互いの内側面同士を容易に整合させることができる。
【００４５】
以上説明したように、上記実施形態においては、ガラスパネル１２の上下の端部と左右の端部とを保持するパネル上部保持部材１９、パネル下部保持部材１８、及びパネル側部保持部材２９を、それぞれ、保持部本体２７、２０、３０と差込み部材２１、３１との２部材よりなるものとし、横フレーム８、９、１０の対向面の凹溝１３、１５と、縦フレーム７の対向面の凹溝１７にそれぞれ圧嵌した保持部本体２７、２０、３０のパネル押さえ２２に、ガラスパネル１２の一方の面(実施形態では後面)を当接させた状態で、各保持部本体２７、２０、３０の差込み溝２３、２８、３２に係合した差込み部材２１、３１のパネル押さえ２２を、ガラスパネル１２の他方の面(前面)に圧接させることにより、前後のパネル押さえ２２、２２により、ガラスパネル１２の周縁部の前後両面を挟んで保持するようにしてあるので、ガラスパネル１２を、横フレーム８、９、１０と縦フレーム７とにより囲まれた枠状空間１１に、容易に取付けることができる。
【００４６】
また、パネル上部保持部材１８、パネル下部保持部材１９、及びパネル側部保持部材２９も、各横フレーム８、９、１０と縦フレーム７に、ねじ等の固定手段を用いることなく、簡単に装着することができる。
【００４７】
さらに、前後のパネル押さえ２２は、ガラスパネル１２の前後両面に、前後方向から直角に当接して、ガラスパネル１２を保持しているので、パネル押さえ２２がガラスパネル１２の保持部より内方にはみ出る恐れはなく、しかも、パネル下部保持部材１８、パネル上部保持部材１９、及びパネル側部保持部材２９におけるガラスパネル１２の保持部をフラットな面としうるので、間仕切り装置の見栄えが向上する。
【００４８】
上記実施形態では、各保持部本体２０、２７、３０と差込み部材２１、３１とに、軟質合成樹脂よりなるパネル押さえ２２を設けているが、このパネル押さえ２２を省略して、保持部本体２０、２７、３０と差込み部材２１、３１との対向面により、ガラスパネル１２の前後両面を直接保持することもある。
【００４９】
また、上記実施形態では、差込み溝２３、２８、３２と差込み部材２１、３１とに、互いに係合し合う係合部２４、３３と被係合部２６、３５を設けているが、それらを省略して、差込み溝２３、２８、３２に、差込み部材２１、３１の係合足片２１b、３１bを、単に弾性的に係合させるのみとすることもある。
【図面の簡単な説明】
【００５０】
【図１】本発明の一実施形態を適用した間仕切り装置の正面図である。
【図２】図１のII-II線拡大縦断側面図である。
【図３】同じく、III-III線拡大横断平面図である。
【図４】図２のＡ部の拡大図である。
【図５】図４のＢ部の拡大図である。
【図６】図３のＣ部の拡大図である。
【符号の説明】
【００５１】
１    間仕切り装置
２    床面
３    下部ベース部材
４    天井
５    上部ベース部材
６    支柱
７    縦フレーム
８    上部横フレーム
９    下部横フレーム
１０  中間横フレーム
１１  枠状空間
１２  ガラスパネル
１３  凹溝
１４  アジャスタ装置
１５  凹溝
１６  アジャスタ装置
１７  凹溝
１８  パネル下部保持部材
１９  パネル上部保持部材
２０  保持部本体
２０a 基片
２０b 保持片
２０c 後向片
２１  差込み部材
２１a 保持部
２１b 係合足片
２２  パネル押さえ
２２a 薄肉部
２３  差込み溝
２４  係合部
２５  スリット孔
２６  被係合部
２７  保持部本体
２７a 保持片
２７b 後向片
２７c 垂下片
２８  差込み溝
２９  パネル側部保持部材
３０  保持部本体
３０a 基部
３０b 嵌合片
３０c 保持片
３０d 前向片
３０e 嵌合片
３１  差込み部材
３１a 保持部
３１b 係合足片
３１c 後向片
３２  差込み溝
３３  係合部
３４  スリット孔
３５  被係合部
【図１】
2008280712.tif 000003
【図２】
2008280712.tif 000004
【図３】
2008280712.tif 000005
【図４】
2008280712.tif 000006
【図５】
2008280712.tif 000007
【図６】
2008280712.tif 000008